(57)【要約】【課題】帯域が狭い伝送路を使用する場合でも、複雑な処理を行うことなく、映像を伝送することができる映像符号化装置、映像復号装置、映像符号化方法、映像復号方法、映像符号化プログラムおよび映像復号プログラムを提供する。【解決手段】圧縮符号化処理手段１２を備える映像符号化装置であって、入力された映像を縮小して当該映像と論理画面サイズが同じである画面領域における所定の位置にマッピングする縮小処理手段１１を備え、圧縮符号化手段１２は、画面領域の映像のデータを圧縮符号化する。【選択図】図６
2012191248.tif 000002
【特許請求の範囲】
【請求項１】
圧縮符号化処理手段を備える映像符号化装置であって、
入力された映像を縮小して当該映像と論理画面サイズが同じである画面領域における所定の位置にマッピングする縮小処理手段を備え、
前記圧縮符号化手段は、前記画面領域の映像のデータを圧縮符号化する
ことを特徴とする映像符号化装置。
【請求項２】
圧縮符号化処理手段は、画面領域における符号化対象領域からフレーム内予測またはフレーム間予測により予測差分データを生成する予測手段を備え、
前記予測手段は、前記符号化対象領域が、縮小された映像がマッピングされた領域にある場合には、前記縮小された映像がマッピングされた領域以外の領域を予測に使用せず、前記符号化対象領域が、前記縮小された映像がマッピングされた領域以外の領域にある場合には、前記縮小された映像がマッピングされた領域を予測に使用しない
請求項１に記載の映像符号化装置。
【請求項３】
縮小処理手段は、画面領域のうち縮小された映像がマッピングされていない領域に同じ画素値のデータを設定する
請求項１または請求項２に記載の映像符号化装置。
【請求項４】
復号処理手段を備える映像復号装置であって、
前記復号処理手段は、入力された圧縮符号化データを復号して復号後データを生成し、
前記復号後データの所定の位置にマッピングされている縮小された映像のデータを抽出し、抽出したデータの映像を前記復号後データの論理画面サイズに拡大する拡大処理手段を備える
ことを特徴とする映像復号装置。
【請求項５】
入力された映像を縮小して当該映像と論理画面サイズが同じである画面領域における所定の位置にマッピングし、
前記画面領域の映像のデータを圧縮符号化する
ことを特徴とする映像符号化方法。
【請求項６】
画面領域における符号化対象領域からフレーム内予測またはフレーム間予測により予測差分データを生成するときに、前記符号化対象領域が、縮小された映像がマッピングされた領域にある場合には、前記縮小された映像がマッピングされた領域以外の領域を予測に使用せず、前記符号化対象領域が、前記縮小された映像がマッピングされた領域以外の領域にある場合には、前記縮小された映像がマッピングされた領域を予測に使用しない
請求項５に記載の映像符号化方法。
【請求項７】
入力された圧縮符号化データを復号して復号後データを生成し、
前記復号後データの所定の位置にマッピングされている縮小された映像のデータを抽出し、抽出したデータの映像を前記復号後データの論理画面サイズに拡大する
ことを特徴とする映像復号方法。
【請求項８】
コンピュータに、
入力された映像を縮小して当該映像と論理画面サイズが同じである画面領域における所定の位置にマッピングする処理と、
前記画面領域の映像のデータを圧縮符号化する処理とを
実行させるための映像符号化プログラム。
【請求項９】
コンピュータに、
画面領域における符号化対象領域からフレーム内予測またはフレーム間予測により予測差分データを生成するときに、前記符号化対象領域が、縮小された映像がマッピングされた領域にある場合には、前記縮小された映像がマッピングされた領域以外の領域を予測に使用させず、前記符号化対象領域が、前記縮小された映像がマッピングされた領域以外の領域にある場合には、前記縮小された映像がマッピングされた領域を予測に使用させない
請求項８に記載の映像符号化プログラム。
【請求項１０】
コンピュータに、
入力された圧縮符号化データを復号して復号後データを生成する処理と、
前記復号後データの所定の位置にマッピングされている縮小された映像のデータを抽出し、抽出したデータの映像を前記復号後データの論理画面サイズに拡大する処理とを
実行させるための映像復号プログラム。
【発明の詳細な説明】
【技術分野】
【０００１】
本発明は、映像を効率よく伝送可能な映像符号化装置、映像復号装置、映像符号化方法、映像復号方法、映像符号化プログラムおよび映像復号プログラムに関する。
【背景技術】
【０００２】
映像データの伝送方式として、図７に示すように、映像データを圧縮符号化して伝送した後に伸張復号して元の映像データに戻す方式がある（例えば、特許文献１参照。）。図７に示すシステムにおいて、映像符号化装置６１０における圧縮符号化処理部６１１は、入力映像を符号化して伝送路３００に送出する。映像復号装置６２０における伸張復号処理部６２１は、伝送路３００を介して受信した信号に含まれるデータを復号して、復号結果を出力映像４６３として出力する。
【先行技術文献】
【特許文献】
【０００３】
【特許文献１】再表２００７−１４８６１９号公報
【発明の概要】
【発明が解決しようとする課題】
【０００４】
映像データのデータ容量が大きい場合に、伝送路の帯域が狭いときに伝送に時間がかかったり、伝送ができなかったりする。伝送効率を向上させるために、図８に示すように、映像データの論理画面サイズ（水平方向の画素数および垂直方向の画素数）を縮小した後に、圧縮符号化して伝送し、伸張復号した後に映像データを拡大して元の論理画面サイズに戻す方式がある。図８に示すシステムにおいて、映像符号化装置７１０における縮小部７１１は、入力映像を縮小する。圧縮符号化処理部７１２は、縮小された入力映像を符号化して伝送路３００に送出する。映像復号装置７２０における伸張復号処理部７２１は、伝送路３００を介して受信した信号に含まれるデータを復号する。拡大部７２２は、復号されたデータを拡大し、拡大結果を出力映像４７５として出力する。
【０００５】
しかし、図８に示すシステムでは、縮小率の変更が、圧縮符号化および伸張復号の処理に影響を及ぼす。動き予測やＤＣＴ変換やエントロピー符号化などの複雑な処理に影響するので、伝送路３００の帯域に合わせて縮小率を任意に変更することは困難である。また、圧縮符号化および伸張復号の処理をハードウェアで実現している場合には、ハードウェアの設計変更に多くの工数を要する可能性がある。
【０００６】
そこで、本発明は、帯域が狭い伝送路を使用する場合でも、複雑な処理を行うことなく、映像を伝送することができる映像符号化装置、映像復号装置、映像符号化方法、映像復号方法、映像符号化プログラムおよび映像復号プログラムを提供することを目的とする。
【課題を解決するための手段】
【０００７】
本発明による映像符号化装置は、圧縮符号化処理手段を備える映像符号化装置であって、入力された映像を縮小して当該映像と論理画面サイズが同じである画面領域における所定の位置にマッピングする縮小処理手段を備え、圧縮符号化手段は、画面領域の映像のデータを圧縮符号化することを特徴とする。
【０００８】
本発明による映像復号装置は、復号処理手段を備える映像復号装置であって、復号処理手段は、入力された圧縮符号化データを復号して復号後データを生成し、復号後データの所定の位置にマッピングされている縮小された映像のデータを抽出し、抽出したデータの映像を復号後データの論理画面サイズに拡大する拡大処理手段を備えることを特徴とする。
【０００９】
本発明による映像符号化方法は、入力された映像を縮小して当該映像と論理画面サイズが同じである画面領域における所定の位置にマッピングし、画面領域の映像のデータを圧縮符号化することを特徴とする。
【００１０】
本発明による映像復号方法は、入力された圧縮符号化データを復号して復号後データを生成し、復号後データの所定の位置にマッピングされている縮小された映像のデータを抽出し、抽出したデータの映像を復号後データの論理画面サイズに拡大することを特徴とする。
【００１１】
本発明による映像符号化プログラムは、コンピュータに、入力された映像を縮小して当該映像と論理画面サイズが同じである画面領域における所定の位置にマッピングする処理と、画面領域の映像のデータを圧縮符号化する処理とを実行させることを特徴とする。
【００１２】
本発明による映像復号プログラムは、コンピュータに、入力された圧縮符号化データを復号して復号後データを生成する処理と、
復号後データの所定の位置にマッピングされている縮小された映像のデータを抽出し、抽出したデータの映像を復号後データの論理画面サイズに拡大する処理とを実行させることを特徴とする。
【発明の効果】
【００１３】
本発明によれば、帯域が狭い伝送路を使用する場合でも、複雑な処理を行うことなく、映像を伝送することができる。
【図面の簡単な説明】
【００１４】
【図１】本発明による映像符号化装置および映像復号装置を含むシステムの一例を示す説明図である。
【図２】本発明による映像符号化装置の第１の実施形態の構成を示すブロック図である。
【図３】本発明による映像復号装置の第１の実施形態の構成を示すブロック図である。
【図４】第２の実施形態における予測部が予測制限を行わない場合のフレーム内予測を示す説明図である。
【図５】第２の実施形態における予測部が予測制限を行う場合のフレーム内予測を示す説明図である。
【図６】本発明による映像符号化装置の主要部を示すブロック図である。
【図７】映像符号化装置および映像復号装置を含むシステムの一例を示す説明図である。
【図８】映像符号化装置および映像復号装置を含むシステムの一例を示す説明図である。
【発明を実施するための形態】
【００１５】
実施形態１．
以下、本発明の第１の実施形態を図面を参照して説明する。
【００１６】
図１は、本発明による映像符号化装置および映像復号装置を含むシステムの一例を示す説明図である。図２は、本発明による映像符号化装置の第１の実施形態の構成を示すブロック図である。
【００１７】
図１に示すように、映像符号化装置１００と映像復号装置２００とは、伝送路３００を介して通信可能に接続されている。
【００１８】
図２に示すように、映像符号化装置１００は、縮小マッピング処理部１１０と圧縮符号化処理部１２０とを備える。なお、縮小マッピング処理部１１０および圧縮符号化処理部１２０は、プログラムに従って動作するマイクロコンピュータ等で実現可能である。
【００１９】
縮小マッピング処理部１１０は、入力映像４０１を入力して、入力映像４０１に対して、縮小およびマッピング処理を行う。縮小マッピング処理部１１０は、入力映像４０１をマッピング処理したマッピング後映像データ４０２を、圧縮符号化処理部１２０に対して出力する。マッピング処理とは、図１（ａ）および図１（ｂ）に示すように、入力映像４０１と同じ論理画面サイズの領域（画面領域）の左上（以下、画面左上領域という。）に、縮小した入力映像４０１をマッピングする処理である。
【００２０】
圧縮符号化処理部１２０は、Ｈ．２６４の圧縮符号化方式に従って、縮小マッピング処理部１１０から入力されたマッピング後映像データ４０２に対して圧縮符号化処理を行う。圧縮符号化処理部１２０は、伝送路３００を介して、映像復号装置２００に対して圧縮符号化した圧縮符号化データ４０３を送信する。なお、圧縮符号化方式は、ＭＰＥＧ−２や他の圧縮符号化方式であってもよい。
【００２１】
圧縮符号化処理部１２０は、直交変換部１２１と、量子化部１２２と、符号化部１２３と、逆量子化部１２４と、逆直交変換部１２５と、フレーム記憶部１２６と、予測部１２７と、差分演算部１２８と、加算演算部１２９とを備える。
【００２２】
直交変換部１２１は、予測差分データ（フレーム内予測差分データ５１１またはフレーム間予測差分データ５１４）を入力する。入力された予測差分データに対して、ＤＣＴ変換を行う。
【００２３】
量子化部１２２は、入力されたＤＣＴ変換後の予測差分データに対して、量子化を行う。量子化後の予測差分データを符号化部１２３および逆量子化部１２４に出力する。
【００２４】
符号化部１２３は、入力された量子化後の予測差分データに対して、可変長符号化を行う。符号化部１２３は、可変長符号化した予測差分データを圧縮符号化データ４０３として、外部に出力する。
【００２５】
逆量子化部１２４は、量子化部１２２から入力された量子化後の予測差分データに対して、逆量子化を行う。
【００２６】
逆直交変換部１２５は、入力された逆量子化後の予測差分データに対して、逆ＤＣＴ変換を行い、逆ＤＣＴ変換後の予測差分データ（以下、再構成予測差分データという。）５１５を、加算演算部１２９に出力する。
【００２７】
フレーム記憶部１２６は、加算演算部１２９から入力された映像データを、予測用映像データ５１２として記憶する。
【００２８】
予測部１２７は、フレーム内予測やフレーム間予測などの予測処理を行う。
【００２９】
予測部１２７がフレーム内予測を行う場合は、縮小マッピング処理部１１０から入力されたマッピング後映像データ４０２をもとに、フレーム内予測を行って、フレーム内予測差分データ５１１を生成し、生成したフレーム内予測差分データ５１１を直交変換部１２１に入力する。
【００３０】
予測部１２７がフレーム間予測を行う場合は、フレーム記憶部１２６から取得した予測用映像データ５１２と、縮小マッピング処理部１１０から入力されたマッピング後映像データ４０２とをもとに、フレーム間予測を行って、フレーム間予測映像データ５１３を生成する。予測部１２７は、フレーム間予測映像データ５１３を差分演算部１２８および加算演算部１２９に入力する。
【００３１】
差分演算部１２８は、マッピング後映像データ４０２と、フレーム間予測映像データ５１３との差分をとって、差分後のデータであるフレーム間予測差分データ５１４を直交変換部１２１に出力する。
【００３２】
加算演算部１２９は、フレーム間予測映像データ５１３と、逆直交変換部１２５から入力された再構成予測差分データ５１５とを加算し、加算によって生成された映像データをフレーム記憶部１２６に出力する。
【００３３】
図３は、本発明による映像復号装置の第１の実施形態の構成を示すブロック図である。
【００３４】
図３に示すように、映像復号装置２００は、伸張復号処理部２１０とマッピング拡大処理部２２０とを備える。なお、伸張復号処理部２１０およびマッピング拡大処理部２２０は、プログラムに従って動作するマイクロコンピュータ等で実現可能である。
【００３５】
伸張復号処理部２１０は、Ｈ．２６４の圧縮符号化方式に対応した復号方式に従って、伸張復号処理を行う。伸張復号処理部２１０は、復号部２１１と、逆量子化部２１２と、逆直交変換部２１３、フレーム記憶部２１４と、予測部２１５と、加算演算部２１６とを含む。なお、復号方式は、ＭＰＥＧ−２や他の圧縮符号化方式に対応した復号方式であってもよい。
【００３６】
復号部２１１は、圧縮符号化データ４０３を入力する。復号部２１１は、圧縮符号化データ４０３を復号し、復号後のデータを逆量子化部２１２に入力する。また、復号部２１１は、予測部２１５がフレーム間予測の際に必要な情報（以下、フレーム間予測情報という。）５２５を、復号後のデータから抽出して、予測部２１５に出力する。
【００３７】
逆量子化部２１２は、入力された復号後のデータに対して、逆量子化を行う。
【００３８】
逆直交変換部２１３は、入力された逆量子化後のデータに対して、逆ＤＣＴ変換を行う。逆ＤＣＴ変換したデータを、予測差分データ５２１として、加算演算部２１６に出力する。
【００３９】
フレーム記憶部２１４は、加算演算部２１６から入力された映像データを予測用映像データ５２３として記憶する。
【００４０】
予測部２１５は、フレーム内予測やフレーム間予測などの予測処理を行う。
【００４１】
予測部２１５がフレーム内予測を行う場合は、逆直交変換部２１３から入力された予測差分データ５２１をもとに、フレーム内予測を行って、復号後映像データ５２２を生成する。予測部２１５は、復号後映像データ５２２をマッピング拡大処理部２２０に入力する。
【００４２】
予測部２１５がフレーム間予測を行う場合は、フレーム記憶部２１４から取得した予測用映像データ５２３と復号部２１１から入力されたフレーム間予測情報５２５とをもとに、フレーム間予測を行って、フレーム間予測映像データ５２４を生成する。予測部２１５は、フレーム間予測映像データ５２４を加算演算部２１６に出力する。
【００４３】
加算演算部２１６は、逆直交変換部２１３から入力された予測差分データ５２１と、予測部２１５から入力されたフレーム間予測映像データ５２４とを加算して、復号後映像データ５２６を生成し、生成した復号後映像データ５２６をマッピング拡大処理部２２０に入力する。
【００４４】
復号後映像データ５２２および復号後映像データ５２６は、図１における復号後映像データ４０４である。
【００４５】
マッピング拡大処理部２２０は、復号後映像データ５２２、または、復号後映像データ５２６に対して、マッピング抽出拡大処理を行う。マッピング抽出拡大処理とは、図１（ｃ）および図１（ｄ）に示すように、復号後映像データ４０４の画面左上領域を抽出して、抽出した領域を復号後映像データ４０４の論理画面サイズに拡大する処理である。マッピング拡大処理部２２０は、マッピング抽出処理後の映像データを出力映像４０５として外部に出力する。
【００４６】
次に、本実施形態の動作を説明する。
【００４７】
映像符号化装置１００の縮小マッピング処理部１１０は、入力映像４０１を入力する。縮小マッピング処理部１１０は、入力映像４０１のヘッダ情報から、論理画面サイズを取得する。なお、ユーザによって、任意の論理画面サイズを縮小マッピング処理部１１０に対して設定し、縮小マッピング処理部１１０がその設定に従って処理をするようにしてもよい。
【００４８】
縮小マッピング処理部１１０は、入力映像４０１に対して縮小処理およびマッピング処理を行う。なお、マッピング処理における縮小率およびマッピング位置は、固定値ではなく、ユーザによって、映像符号化装置１００や縮小マッピング処理部１１０に対して任意の値が設定可能であることが望ましい。また、入力映像４０１の縮小は、水平方向と垂直方向の両方について同じ縮小率で行わなければならないわけではなく、異なる縮小率であってもよい。また、水平方向または垂直方向に対してのみ縮小してもよい。
【００４９】
縮小マッピング処理部１１０は、縮小率とマッピング位置とをもとに、縮小した入力映像４０１を、論理画面サイズの映像データの所定の位置にマッピングする。このとき、縮小マッピング処理部１１０は、縮小した入力映像４０１をマッピングした領域以外の領域に、単調な映像データ、例えば、すべて同じ画素値の映像データを設定する。なお、本実施形態では、マッピング位置を画面左上としているが、マッピング位置は画面左上でなくてもよい。
【００５０】
縮小マッピング処理部１１０は、マッピング処理後の入力映像４０１をマッピング後映像データ４０２として、圧縮符号化処理部１２０に出力する。
【００５１】
圧縮符号化処理部１２０は、Ｈ．２６４の圧縮符号化方式に従って、入力されたマッピング後映像データ４０２に対して圧縮符号化処理を行う。
【００５２】
圧縮符号化処理部１２０は、圧縮符号化処理を行ったマッピング後映像データ４０２を圧縮符号化データ４０３として、映像復号装置２００に対して送信する。
【００５３】
映像復号装置２００の伸張復号処理部２１０は、Ｈ．２６４の圧縮符号化方式に対応した復号方式に従って、圧縮符号化データ４０３の伸張復号処理を行い、復号後映像データ４０４を生成する。伸張復号処理部２１０は、復号後映像データ４０４を、マッピング拡大処理部２２０に出力する。
【００５４】
マッピング拡大処理部２２０は、復号後映像データ４０４のヘッダ情報から論理画面サイズを取得する。なお、ユーザが、論理画面サイズをマッピング拡大処理部２２０に対して設定できるようにしてもよい。
【００５５】
マッピング拡大処理部２２０は、論理画面サイズ、縮小率およびマッピング位置をもとに、画面左上領域を抽出し、抽出した画面左上領域を論理画面サイズに拡大する。なお、縮小率およびマッピング位置は、固定値ではなく、ユーザによって、映像復号装置２００やマッピング拡大処理部２２０に対して任意の値が設定可能であることが望ましい。
【００５６】
マッピング拡大処理部２２０は、論理画面サイズに拡大した映像データを、出力画像４０５として、外部に出力する。
【００５７】
本実施形態では、圧縮符号化および伸張復号の対象となる映像データの論理画面サイズを変更せずに、入力映像を任意の縮小率で縮小することができるので、圧縮率を任意に変更することができる。例えば、映像符号化装置と映像復号装置との間の伝送路の伝送速度が小さい場合には、縮小率を大きくして、圧縮率を上げることによって圧縮後の映像データの容量を小さくすることができ、効率よく伝送することが可能となる。
【００５８】
また、圧縮率を変更しても圧縮符号化および伸張復号の対象となる映像データの論理画面サイズが変わらないので、圧縮符号化処理部１２０および伸張復号処理部２１０の処理は複雑にならない。
【００５９】
なお、本実施形態では、マッピング後映像データ４０２の入力映像４０１をマッピングした領域以外の領域に、単調な映像データが設定されているが、単調なデータに限られず、圧縮符号化処理部１２０で使用する圧縮符号化方式において圧縮効率が高くなるデータを設定するようにしてもよい。
【００６０】
実施形態２．
以下、本発明の第２の実施形態を説明する。
【００６１】
第２の実施形態における映像符号化装置１００の構成は、第１の実施形態と同様である。
【００６２】
ただし、本実施形態では、予測部１２７は、予測制限機能を備える。マッピング後映像データ４０２の画面左上領域以外の領域が、例えば、単調な映像データで埋められていた場合には、画面左上領域とそれ以外の領域との相関が低い。そのため、予測処理を行うときに、圧縮符号化対象部分が画面左上領域にあって、予測に使用する映像データがそれ以外の領域にある場合やその逆の場合、つまり、予測が画面左上領域とそれ以外の領域をまたいで行われる場合に、圧縮効率が低下してしまう。予測制限機能とは、そのような圧縮効率の低下を回避するために、予測処理を行うときに、画面左上領域とそれ以外の領域をまたぐ予測を行わないように制限をかける機能のことである。
【００６３】
次に、本実施形態の動作を説明する。
【００６４】
図４は、第２の実施形態における予測部１２７が予測制限を行わない場合のフレーム内予測を示す説明図である。図５は、第２の実施形態における予測部１２７が予測制限を行う場合のフレーム内予測を示す説明図である。
【００６５】
Ｈ．２６４などの符号化方式においては、画像データは、マクロブロックと呼ばれるブロックに分割され、マクロブロック単位で処理が行われる。マクロブロックは、例えば、水平１６×垂直１６画素のブロックである。
【００６６】
図４に示す予測８１１および予測８１２の始点の位置には、圧縮符号化対象のマクロブロック（以下、圧縮符号化対象部分という。）が存在し、終点の位置には、予測に使用するマクロブロック（以下、予測対象部分という。）が存在する。予測８１１は、画面左上領域８０１とそれ以外の領域をまたがない予測を示す。予測８１２は、画面左上領域８０１とそれ以外の領域をまたぐ予測を示す。
【００６７】
予測部１２７は、フレーム内予測を行っているときに、圧縮符号化対象部分の位置と予測対象部分の位置とを監視し、マッピング位置をもとにして、画面左上領域８０１とそれ以外の領域をまたいだ予測が行われる可能性があるか否かを判定する。画面左上領域８０１とそれ以外の領域をまたいだ予測が行われる可能性があると判定した場合は、その予測対象部分を予測に使用しないようにする。
【００６８】
図５に示すように、予測部１２７が予測制限を行った場合は、画面左上領域とそれ以外の領域をまたぐ予測が行わなれない。
【００６９】
以上に説明したように、本実施形態によれば、画面左上領域とそれ以外の領域をまたいだ予測を行わないようにしているので、圧縮効率を向上させることができる。
【００７０】
なお、本実施形態では、予測部１２７がフレーム内予測を行う場合の予測制限について説明したが、フレーム間予測を行う場合にも予測制限を行うようにしてもよい。
【００７１】
図６は、本発明による映像符号化装置の主要部を示すブロック図である。図６に示すように、
【００７２】
本発明による映像符号化装置は、圧縮符号化処理手段１２（図１に示す映像符号化装置１００における圧縮符号化処理部１２０に相当。）を備える映像符号化装置（図１に示す映像符号化装置１００に相当。）であって、入力された映像を縮小して当該映像と論理画面サイズが同じである画面領域における所定の位置にマッピングする縮小処理手段１１（図１に示す映像符号化装置１００における縮小マッピング処理部１１０に相当。）を備え、圧縮符号化手段１２は、画面領域の映像のデータを圧縮符号化することを特徴とする。
【００７３】
上記の実施形態には、以下のような映像符号化装置および映像復号装置も開示されている。
【００７４】
圧縮符号化処理手段１２は、画面領域における符号化対象領域からフレーム内予測またはフレーム間予測により予測差分データ（図２に示すフレーム内予測差分データ５１１またはフレーム間予測映像データ５１３に相当。）を生成する予測手段（図２に示す圧縮符号化処理部１２０における予測部１２７に相当。）を備え、予測手段は、符号化対象領域が、縮小された映像がマッピングされた領域にある場合には、縮小された映像がマッピングされた領域以外の領域を予測に使用せず、符号化対象領域が、縮小された映像がマッピングされた領域以外の領域にある場合には、縮小された映像がマッピングされた領域を予測に使用しない映像符号化装置。
【００７５】
縮小処理手段１１は、画面領域のうち縮小された映像がマッピングされていない領域に同じ画素値のデータを設定する映像符号化装置。
【００７６】
復号処理手段（図１に示す映像復号装置２００における伸張復号処理部２１０に相当。）を備える映像復号装置（図１に示す映像復号装置２００に相当。）であって、復号処理手段は、入力された圧縮符号化データを復号して復号後データ（図１に示す復号後映像データ４０４に相当。）を生成し、復号後データの所定の位置にマッピングされている縮小された映像のデータを抽出し、抽出したデータの映像を復号後データの論理画面サイズに拡大する拡大処理手段（図１に示す映像復号装置２００におけるマッピング拡大処理部２２０に相当。）を備える映像復号装置。
【符号の説明】
【００７７】
１００、６１０、７１０  映像符号化装置
１１０  縮小マッピング処理部
１２０、６１１、７１２  圧縮符号化処理部
１２１  直交変換部  
１２２  量子化部
１２３  符号化部
１２４  逆量子化部
１２５  逆直交変換部
１２６  フレーム記憶部
１２７  予測部
１２８  差分演算部
１２９  加算演算部
２００、６２０、７２０  映像復号装置
２１０、６２１、７２１  伸張復号処理部
２１１  復号部
２１２  逆量子化部
２１３  逆直交変換部
２１４  フレーム記憶部
２１５  予測部
２１６  加算演算部
２２０  マッピング拡大処理部
３００  伝送路
４０１、４６１、４７１  入力映像
４０２  マッピング後映像データ
４０３  圧縮符号化データ
４０４  復号後映像データ
４０５、４６３、４７５  出力映像
５１１  フレーム内予測差分データ
５１２、５２３  予測用映像データ
５１３、５２４  フレーム間予測映像データ
５１４  フレーム間予測差分データ
５１５  再構成予測差分データ
５２１  予測差分データ
５２２、５２６  復号後映像データ
５２５  フレーム間予測情報
７１１  縮小部
７２２  拡大部
８０１  画面左上領域
８１１、８１２  予測
【図１】
2012191248.tif 000003
【図２】
2012191248.tif 000004
【図３】
2012191248.tif 000005
【図４】
2012191248.tif 000006
【図５】
2012191248.tif 000007
【図６】
2012191248.tif 000008
【図７】
2012191248.tif 000009
【図８】
2012191248.tif 000010